(57)【要約】【課題】負荷接続時や始動時の突入電流などの過電流に対してもスイッチ素子や負荷を保護可能であり、白熱灯と蛍光灯などの異なる負荷に対しても適用可能な電力制御装置を提供する。【解決手段】電力制御装置は、交流電源１から負荷２へ流れる供給電力供給電力をオンオフするスイッチ素子Ｑ１、Ｑ２と、スイッチ素子Ｑ１、Ｑ２のオンオフを制御する制御部７と、スイッチ素子Ｑ１、Ｑ２に流れる電流を検出する電流検出部としての抵抗Ｒ１、Ｒ２とを備え、制御部７は、交流電源の供給開始から所定時間までは、過電流検出によってスイッチ素子Ｑ１、Ｑ２を一時的にオフさせることを短い所定周期で繰り返し、この所定時間以降は、過電流検出によってスイッチ素子Ｑ１、Ｑ２をオフさせる所定周期を長くするか、あるいはオフを持続する。【選択図】図１
2008234588.tif 000002
【特許請求の範囲】
【請求項１】
交流電源から負荷へ流れる供給電力を調整する電力制御装置であって、
前記供給電力をオンオフするスイッチ素子と、
前記スイッチ素子のオンオフを制御する制御部と、
前記スイッチ素子に流れる電流を検出する電流検出部とを備え、
前記制御部は、
前記スイッチ素子に流れる電流が所定値を超える場合に、過電流検出を判定して前記スイッチ素子を一時的にオフし、
前記交流電源の供給開始から所定時間までは、前記過電流検出によって前記スイッチ素子を一時的にオフさせることを所定周期で繰り返し、前記所定時間以降は、前記過電流検出によって前記スイッチ素子をオフさせる時間を長くする電力制御装置。
【請求項２】
請求項１に記載の電力制御装置であって、
前記スイッチ素子は、前記交流電源とこの交流電源と直列接続される負荷との間に互いに逆極性で直列に接続され、前記制御部からの制御信号に基づき、前記交流電源からの供給電力をオンオフする第１及び第２のスイッチ素子を有してなる電力制御装置。
【請求項３】
請求項１に記載の電力制御装置であって、
前記電流検出部は、前記スイッチ素子と直列に接続され、この電流検出部において流れる電流により前記スイッチ素子に流れる電流を検出する電力制御装置。
【請求項４】
請求項１に記載の電力制御装置であって、
前記制御部は、前記交流電源の供給開始から所定時間までは、前記過電流検出によって前記スイッチ素子を一時的にオフさせることを第１の周期で繰り返し、前記所定時間以降は、前記過電流検出によって前記スイッチ素子をオフさせる繰り返し時間を前記第１の周期よりも長い第２の周期とする電力制御装置。
【請求項５】
請求項４に記載の電力制御装置であって、
前記制御部は、前記交流電源の供給開始からの所定時間を略１００ｍsecとし、前記スイッチ素子を一時的にオフさせる第１の周期を略１ｍsecとし、前記第２の周期を略１００ｍsecとする電力制御装置。
【請求項６】
請求項１に記載の電力制御装置であって、
前記制御部は、前記交流電源の供給開始から所定時間までは、前記過電流検出によって前記スイッチ素子を一時的にオフさせることを所定周期で繰り返し、前記所定時間以降は、前記過電流検出によって前記スイッチ素子をオフさせることを持続する電力制御装置。
【請求項７】
請求項６に記載の電力制御装置であって、
前記制御部は、前記交流電源の供給開始からの所定時間を略１００ｍsecとし、前記スイッチ素子を一時的にオフさせる所定周期を略１ｍsecとし、前記所定時間以降は前記スイッチ素子のオフを持続する電力制御装置。
【請求項８】
請求項１〜７のいずれかに記載の電力制御装置を有し、負荷に白熱灯又は放電灯点灯装置の少なくともいずれかを用いた照明装置。
【請求項９】
請求項１〜７のいずれかに記載の電力制御装置を複数接続した電力供給システム。
【請求項１０】
請求項１〜７のいずれかに記載の電力制御装置を複数接続し、負荷に白熱灯又は放電灯点灯装置の少なくともいずれかを用いた照明システム。
【発明の詳細な説明】
【技術分野】
【０００１】
本発明は、照明負荷等の交流負荷の電力制御を行うための電力制御装置に関する。
【背景技術】
【０００２】
白熱灯等の照明負荷の調光など、交流負荷に対して供給する電力を調整するために用いられる装置として、負荷電流の導通角（導通期間の位相角）を制御する位相制御または逆位相制御を行うことにより供給電力を調整する電力制御装置が種々提案されている。
【０００３】
この種の従来の位相制御による電力制御装置としては、交流電源から負荷に供給する電力をオンオフするスイッチ手段（スイッチ素子）を備え、負荷に流れる電流を監視し、基準値以上となればスイッチ手段をターンオフするものが知られている（例えば、特許文献１参照）。
【０００４】
また、逆位相制御において、過電流検出時にスイッチ手段のターンオフ期間を長くする構成とし、スイッチ手段に印加されるサージ電圧を低減させるようにした電力制御装置（逆位相制御調光器）が開示されている（例えば、特許文献２参照）。
【特許文献１】特開昭６０−１０１６２０号公報
【特許文献２】特開２０００−３４０３７１号公報
【発明の開示】
【発明が解決しようとする課題】
【０００５】
しかしながら、上記のような従来例の構成では、過電流に対する保護機能を有するものの、通電中における負荷の脱着時に瞬時に発生する突入電流に対しては配慮がなされておらず、スイッチ手段や負荷において故障や劣化などの悪影響を及ぼす可能性があった。例えば、交流電源のゼロ点（電圧ゼロボルト）でオンし、位相９０度でオフする逆位相制御を行っている時に、位相９０度のターンオフ付近の過渡時に負荷が装着された場合、突入電流を検出できず、スイッチ手段や負荷に過大な電流が流れるおそれがある。
【０００６】
また、上記従来例では、過電流を検出して交流電源の次のゼロ点までオフするような構成であり、この構成では最大約１０ｍsecの休止期間しかないため、故障した負荷が接続された場合にスイッチ手段の発熱等が生じるなどの不具合が起こるおそれがある。
【０００７】
また、上記従来例における負荷は白熱灯を想定したものであり、電力供給のオンオフにより、電球型蛍光灯ランプをはじめとした放電灯点灯装置を負荷とするいわゆる蛍光灯の点灯及び消灯を切り替えるための電力制御装置としては利用できなかった。例えば、過電流が検出された場合に、スイッチ手段をオフすることで次のゼロ点まで電流が流れないため、放電灯点灯装置のインバータ回路に十分な電力が供給されず、蛍光灯が立ち上がらずに点灯できないことが考えられる。
【０００８】
本発明は、上記事情に鑑みてなされたもので、負荷の短絡時や異常時だけでなく、負荷接続時や始動時の突入電流や過大電流などの過電流に対してもスイッチ素子や負荷を保護することができるとともに、例えば白熱灯と放電灯点灯装置など、異なる複数種の負荷に対しても適用することが可能な電力制御装置を提供することを目的とする。
【課題を解決するための手段】
【０００９】
本発明の電力制御装置は、交流電源から負荷へ流れる供給電力を調整する電力制御装置であって、前記供給電力をオンオフするスイッチ素子と、前記スイッチ素子のオンオフを制御する制御部と、前記スイッチ素子に流れる電流を検出する電流検出部とを備え、前記制御部は、前記スイッチ素子に流れる電流が所定値を超える場合に、過電流検出を判定して前記スイッチ素子を一時的にオフし、前記交流電源の供給開始から所定時間までは、前記過電流検出によって前記スイッチ素子を一時的にオフさせることを所定周期で繰り返し、前記所定時間以降は、前記過電流検出によって前記スイッチ素子をオフさせる時間を長くするものである。
【００１０】
上記構成により、負荷の短絡時や異常時だけでなく、負荷接続時や始動時の突入電流や過大電流などの過電流に対してもスイッチ素子や負荷を保護することが可能となる。また、例えば白熱灯と放電灯点灯装置など、異なる複数種の負荷に対しても適用することが可能であり、例えば放電灯点灯装置などを確実に点灯させて作動させることができる。
【００１１】
また、本発明は、上記の電力制御装置であって、前記スイッチ素子は、前記交流電源とこの交流電源と直列接続される負荷との間に互いに逆極性で直列に接続され、前記制御部からの制御信号に基づき、前記交流電源からの供給電力をオンオフする第１及び第２のスイッチ素子を有してなるものを含む。
また、本発明は、上記の電力制御装置であって、前記電流検出部は、前記スイッチ素子と直列に接続され、この電流検出部において流れる電流により前記スイッチ素子に流れる電流を検出するものを含む。
【００１２】
また、本発明は、上記の電力制御装置であって、前記制御部は、前記交流電源の供給開始から所定時間までは、前記過電流検出によって前記スイッチ素子を一時的にオフさせることを第１の周期で繰り返し、前記所定時間以降は、前記過電流検出によって前記スイッチ素子をオフさせる繰り返し時間を前記第１の周期よりも長い第２の周期とするものを含む。
また、本発明は、上記の電力制御装置であって、前記制御部は、前記交流電源の供給開始からの所定時間を略１００ｍsecとし、前記スイッチ素子を一時的にオフさせる第１の周期を略１ｍsecとし、前記第２の周期を略１００ｍsecとするものを含む。
【００１３】
また、本発明は、上記の電力制御装置であって、前記制御部は、前記交流電源の供給開始から所定時間までは、前記過電流検出によって前記スイッチ素子を一時的にオフさせることを所定周期で繰り返し、前記所定時間以降は、前記過電流検出によって前記スイッチ素子をオフさせることを持続するものを含む。
また、本発明は、上記の電力制御装置であって、前記制御部は、前記交流電源の供給開始からの所定時間を略１００ｍsecとし、前記スイッチ素子を一時的にオフさせる所定周期を略１ｍsecとし、前記所定時間以降は前記スイッチ素子のオフを持続するものを含む。
【００１４】
上記構成により、始動時の交流電源の供給開始から所定時間までは、過電流が検出された場合にスイッチ素子を一時的にオフさせることを短い周期で繰り返すことにより、突入電流などの過電流に対してスイッチ素子や負荷を保護することが可能となる。このとき、負荷が放電灯点灯装置などであっても、確実に起動させて点灯させることができる。また、所定時間以降は、スイッチ素子を一時的にオフさせる周期を長くするか、あるいは、スイッチ素子のオフを持続することによって、短絡等の負荷異常があっても過電流を抑制できる。
【００１５】
また、本発明は、上記いずれかに記載の電力制御装置を有し、負荷に白熱灯又は放電灯点灯装置の少なくともいずれかを用いた照明装置を提供する。
また、本発明は、上記いずれかに記載の電力制御装置を複数接続した電力供給システムを提供する。
また、本発明は、上記いずれかに記載の電力制御装置を複数接続し、負荷に白熱灯又は放電灯点灯装置の少なくともいずれかを用いた照明システムを提供する。
【発明の効果】
【００１６】
本発明によれば、負荷の短絡時や異常時だけでなく、負荷接続時や始動時の突入電流や過大電流などの過電流に対してもスイッチ素子や負荷を保護することができるとともに、例えば白熱灯と放電灯点灯装置など、異なる複数種の負荷に対しても適用することが可能な電力制御装置を提供できる。
【発明を実施するための最良の形態】
【００１７】
以下に、本発明の実施形態を説明するが、それはあくまで本発明に基づいて採択された例示的な実施形態であり、本発明をこの実施形態に特有な事項に基づいて限定解釈してはならず、本発明の技術的範囲は、特許請求の範囲の請求項に示した事項さらにはその事項と実質的に等価である事項に基づいて定められるべきである。
【００１８】
以下の実施形態では、交流負荷として白熱灯や電球型蛍光灯ランプをはじめとした放電灯点灯装置などの照明機器を負荷として用い、交流電源からの供給電力を逆位相制御または位相制御によって制御して調光、あるいは点灯／消灯を行う照明装置に適用した構成例を示す。
【００１９】
（第１の実施形態）
図１は本発明の第１の実施形態に係る電力制御装置の構成を示す回路図である。本実施形態の電力制御装置は、逆位相制御または位相制御による電力スイッチングが可能となっている。電力制御装置は、商用周波数の交流電源１が接続される電源接続部ＣＮ１と、交流電源１に対して直列に白熱灯や蛍光灯等の負荷２が接続される負荷接続部ＣＮ２と、交流電源１と負荷２との間に互いに逆向きで直列に接続され、交流電源１から負荷２への供給電力をオンオフする第１のスイッチ素子Ｑ１及び第２のスイッチ素子Ｑ２と、これら一対のスイッチ素子Ｑ１、Ｑ２を駆動する駆動部５と、駆動部５に制御信号を出力してスイッチ素子Ｑ１、Ｑ２のオンオフを制御する制御部７とを備えて構成される。負荷２としては、白熱ランプ、ハロゲンランプ等の白熱灯（以下、まとめて白熱灯と称する）、電球型蛍光灯ランプをはじめとした放電灯点灯装置等の蛍光灯（以下、まとめて蛍光灯と称する）などが接続されて用いられる。
【００２０】
スイッチ素子Ｑ１、Ｑ２は、例えば電界効果トランジスタ（ＭＯＳ−ＦＥＴ）等の半導体スイッチング素子により構成される。スイッチ素子Ｑ１、Ｑ２としては、電界効果トランジスタの他に、絶縁ゲート型トランジスタ（ＩＧＢＴ）、バイポーラトランジスタなどを用いることができる。スイッチ素子Ｑ１、Ｑ２がＭＯＳ−ＦＥＴの場合、交流電源１と負荷２との間にソース、ドレインが互いに逆極性で直列に接続されて両者のソースがそれぞれ抵抗Ｒ１、Ｒ２を介してグランドＧＮＤに接地され、ゲートがそれぞれ抵抗Ｒ３、Ｒ４を介して駆動部５に接続される。このスイッチ素子Ｑ１、Ｑ２は、駆動部５からの駆動制御信号がゲートに入力されることにより、駆動制御信号（ゲート電圧）に応じてソース−ドレイン間をオンオフするものである。以下ではスイッチ素子Ｑ１、Ｑ２がＭＯＳ−ＦＥＴの場合を説明する。
【００２１】
交流電源１の電源ラインには、ヒューズＦＵＳＥが設けられ、このヒューズＦＵＳＥを介して制御電源３とゼロ点検出部４とが接続される。なお、電源ラインには、サージ吸収素子（バリスタ）、雑音低減用のフィルタなどを設けてもよい。
【００２２】
制御部７は、比較器ＣＰ１、ＣＰ２と、プロセッサ及びメモリ等を有する制御用のコンピュータからなるマイコン（マイクロコンピュータ）６とを備えている。駆動部５は、入力端に比較器ＣＰ１の出力端とマイコン６の制御出力端とが接続され、これらの比較器ＣＰ１の比較結果出力及びマイコン６の制御出力に基づき、駆動制御信号として後述する所定のタイミングで所定の制御電圧を出力してスイッチ素子Ｑ１、Ｑ２に供給する。また、マイコン６には、ゼロ点検出部４の出力端とともに、リモコン送信器９からのリモコン制御信号を受信してマイコン６に入力する受光部８の出力端と、負荷２が白熱灯の場合と蛍光灯の場合とを切り替えて設定するための負荷設定スイッチ１０とが接続される。
【００２３】
制御電源３の電源出力は、駆動部５、マイコン６、受光部８と接続され、これらの回路に動作用電源として直流電圧を供給する。また、制御電源３の出力の直流電圧を分圧して過電流判定用の基準電圧を生成するための直列接続された抵抗Ｒ７、Ｒ８が設けられ、一方の抵抗Ｒ７の一端が制御電源３の電源出力に接続されている。そして、他方の抵抗Ｒ８の一端がグランドＧＮＤに接続され、抵抗Ｒ７、Ｒ８の接続点が比較器ＣＰ１、ＣＰ２の正入力端に接続されている。
【００２４】
抵抗Ｒ１、Ｒ２は、スイッチ素子Ｑ１、Ｑ２をそれぞれ流れる電流を検出する電流検出部の機能を有している。抵抗Ｒ１、Ｒ２とスイッチ素子Ｑ１、Ｑ２との接続点がそれぞれダイオードＤ１、Ｄ２を介して抵抗Ｒ５の一端に接続され、抵抗Ｒ５の他端が比較器ＣＰ１、ＣＰ２の負入力端に接続されている。これにより、比較器ＣＰ１、ＣＰ２において、抵抗Ｒ１、Ｒ２により検出された電流に比例する電圧（抵抗Ｒ１、Ｒ２の両端の電圧）と抵抗Ｒ７、Ｒ８による基準電圧とが比較される。比較器ＣＰ２の出力端には抵抗Ｒ６の一端が接続され、抵抗Ｒ６の他端が比較器ＣＰ１、ＣＰ２の正入力端に接続され、比較器ＣＰ２の比較結果出力が抵抗Ｒ６で降圧されてフィードバックされる。なお、電流検出部としては、抵抗の他に、マンガニン線、カレントトランスなどを用いてもよい。
【００２５】
また、比較器ＣＰ１、ＣＰ２の負入力端とグランドＧＮＤとの間には、コンデンサＣ１が設けられるとともに、この間の電圧を分圧する直列接続された抵抗Ｒ９、Ｒ１０が設けられ、抵抗Ｒ９、Ｒ１０の接続点にトランジスタ等からなるスイッチ素子Ｑ３の一端（コレクタ等）が接続される。スイッチ素子Ｑ３の他端（エミッタ等）はグランドＧＮＤに設置され、制御入力端（ベース等）がマイコン６の制御出力端に接続される。制御部７のマイコン６は、ゼロ点検出部４の検出出力、受光部８からのリモコン制御信号、及び、負荷設定スイッチ１０の設定状態による設定信号に基づき、駆動部５及びスイッチ素子Ｑ３に制御信号を出力してこれらの回路の動作を制御する。
【００２６】
本実施形態の電力制御装置では、上記構成のように、負荷２への供給電力をオンオフするスイッチ素子Ｑ１、Ｑ２の過電流保護機能を備えている。この過電流保護機能として、スイッチ素子Ｑ１、Ｑ２を流れる電流を検出する抵抗Ｒ１、Ｒ２において、両端の電圧が所定値以上の過電流検出値となった場合、比較器ＣＰ１の比較結果出力に基づいて駆動部５がスイッチ素子Ｑ１、Ｑ２をオフさせる。そして、所定の時間経過後に再度スイッチ素子Ｑ１、Ｑ２をオンさせ、過電流が検出されない場合は正常動作に戻り、過電流が継続している場合はスイッチ素子Ｑ１、Ｑ２をオフさせ、再度所定の時間経過後にスイッチ素子Ｑ１、Ｑ２をオンするような間欠スイッチ動作を行う。この過電流時の間欠スイッチ動作の周期（以下、過電流動作間欠周期と称する）は、負荷２に電力が供給開始されてから所定時間経過するまでの期間については、定常状態での過電流動作間欠周期よりも短く設定する。
【００２７】
次に、本実施形態の電力制御装置におけるスイッチ素子Ｑ１、Ｑ２による電力制御について説明する。ここでは、逆位相制御による電力制御の動作例を示す。図２は本実施形態において電力制御を行う際の動作波形を示す図である。この図２は、負荷電圧及びスイッチ素子電流（ドレイン電流）を示したものである。また、図中の斜線部は逆位相制御により電流が流れている区間を示している。ここでは、９０度逆位相制御により調光を行う例を示している。なお、交流電源の周波数（商用周波数）の半周期をＴとする。
【００２８】
逆位相制御を行う場合、制御部７のマイコン６の制御により、駆動部５でスイッチ素子Ｑ１、Ｑ２を駆動し、負荷電圧が略ゼロボルト（ゼロクロス、位相０度）のタイミング１３（すなわちスイッチ素子Ｑ１にかかる電圧、電流が略ゼロ点のタイミング）でスイッチ素子Ｑ１をオンし、ドレイン電流がゼロから流れるようにする。このとき、スイッチ素子Ｑ２の寄生ダイオードを介してドレイン電流が交流電源１に戻り、負荷２に負荷電流が流れる。また、負荷電圧が上昇した略ピーク（位相９０度）のタイミング１４（すなわちスイッチ素子Ｑ１にかかる電圧、電流が略ピーク点のタイミング）でスイッチ素子Ｑ１をオフする。そして、負荷電圧が略ゼロボルト（ゼロクロス、位相１８０度）のタイミング１１（すなわちスイッチ素子Ｑ２にかかる電圧、電流が略ゼロ点のタイミング）でスイッチ素子Ｑ２をオンし、ドレイン電流がゼロから流れるようにする。このとき、スイッチ素子Ｑ１の寄生ダイオードを介してドレイン電流が交流電源１に戻り、負荷２に負荷電流が流れる。また、負荷電圧が上昇した略ピーク（位相２７０度）のタイミング１２（すなわちスイッチ素子Ｑ２にかかる電圧、電流が略ピーク点のタイミング）でスイッチ素子Ｑ２をオフする。上記動作を交流電源周波数の周期で繰り返す。
【００２９】
上記動作により、逆位相制御の電力スイッチング（逆位相電力制御）が行われる。このような逆位相制御による電力制御によって、負荷２が白熱灯の場合の調光が行われる。また、負荷２が蛍光灯の場合は、スイッチ素子Ｑ１、Ｑ２のオンオフによって点灯及び消灯を行うことができる。使用者は、負荷設定スイッチ１０を操作して負荷２に白熱灯を接続した場合と蛍光灯を接続した場合とで負荷の設定を切り替える。これにより、負荷設定スイッチ１０からの設定信号がマイコン６に入力され、マイコン６の制御により、接続された負荷に応じたスイッチ素子Ｑ１、Ｑ２のオンオフ等の電力制御が実行される。
【００３０】
次に、本実施形態における過電流保護動作について詳しく説明する。スイッチ素子Ｑ１、Ｑ２を負荷２の着脱等による突入電流などから保護するために、スイッチ素子Ｑ１、Ｑ２のドレイン電流を抵抗Ｒ１、Ｒ２で検出し、過電流か否かを判定する。このとき、抵抗Ｒ１、Ｒ２の両端に発生する電圧をコンデンサＣ１に充電し、比較器ＣＰ１によってこの検出電圧と基準電圧（抵抗Ｒ７とＲ８の分圧電圧）とを比較する。検出電圧が基準電圧より高い場合は、比較器ＣＰ１の比較結果出力としてローレベルを出力し、駆動部５からの駆動制御信号によりスイッチ素子Ｑ１、Ｑ２のゲート電圧が引き下げ、スイッチ素子Ｑ１、Ｑ２をオフさせる。また、もう一つの比較器ＣＰ２を用いて、入出力間に設けた抵抗Ｒ６によって基準電圧を下げ、過電流判定用の閾値にヒステリシスを形成する。
【００３１】
図３は本実施形態の過電流保護機能に関する動作を示すタイムチャートである。負荷２に白熱灯や蛍光灯が接続されている場合、図示しない電源スイッチのオン操作による電源投入、またはリモコン送信器９からのリモコン制御信号による点灯指示によって交流電源１から負荷２への電力供給が開始され、負荷２が点灯する。このとき、負荷２への電力供給開始とともにマイコン６からの制御信号がスイッチ素子Ｑ３に入力され、スイッチ素子Ｑ３はこの制御信号を受けてオンとなっており、抵抗Ｒ１０は等価的に短絡状態である。したがって、始動時には、抵抗Ｒ１、Ｒ２による検出電圧が過電流判定用の閾値である基準電圧を超えることで、一旦過電流検出レベル（過電流閾値）Ｉthに達してスイッチ素子Ｑ１、Ｑ２がオフすると、コンデンサＣ１の電位が基準電圧以下となるように抵抗Ｒ９によって放電されるまで、スイッチ素子Ｑ１、Ｑ２はオフしたままとなる。よって、負荷２への電力供給開始から所定の時間までは、過電流が流れている間は抵抗Ｒ９とコンデンサＣ１の時定数による周期（第１の過電流動作間欠周期（第１の周期））で間欠動作を繰り返す。
【００３２】
また、負荷２への電力供給開始から所定の時間経過後は、マイコン６からの制御信号によってスイッチ素子Ｑ３がオフし、抵抗Ｒ１０が挿入された状態となり、コンデンサＣ１の電位が抵抗Ｒ９及びＲ１０によって放電される。よって、所定の時間経過後は、過電流が流れている間は抵抗Ｒ９＋Ｒ１０とコンデンサＣ１の時定数による周期（第２の過電流動作間欠周期（第２の周期））で間欠動作を繰り返す。
【００３３】
前述したように、過電流動作間欠周期は、始動の際の電源投入時に負荷２に電力が供給開始されてから所定時間経過するまでの期間Ｔ１については短く設定し、それ以後の定常状態の期間Ｔ２では始動時よりも長く設定している。図４は過電流保護動作における始動時の短周期の間欠動作を示す図、図５は過電流保護動作における定常時の長周期の間欠動作を示す図である。この図４及び図５は、過電流判定用の基準電圧に相当する過電流検出レベルＩthを超えて過電流が検出された場合の、スイッチ素子Ｑ１、Ｑ２のドレイン電流波形を示している。
【００３４】
ここでは、始動時の電力供給開始から所定時間経過するまでの短い過電流動作間欠周期の期間Ｔ１を、交流電源周波数（商用周波数）の５周期に相当する略１００ｍsecとする。この始動時の電力供給開始から所定時間経過するまでの期間Ｔ１（＝１００ｍsec）は、マイコン６からの制御によりスイッチ素子Ｑ３がオンしている時間に相当する。この始動時の短周期期間Ｔ１では、図４に示すように、抵抗Ｒ９とコンデンサＣ１の時定数による短周期の過電流動作間欠周期ｔ１を１ｍsecとし、１ｍsecごとにスイッチ素子Ｑ１、Ｑ２のオンオフを繰り返す。この短周期の過電流動作間欠周期ｔ１（＝１ｍsec）は、抵抗Ｒ９による放電時間に相当する。このとき、スイッチ素子Ｑ１、Ｑ２に連続で電流が流れる時間ｔonは４０μsecとし、三角状の電流波形が過電流動作間欠周期ｔ１（１ｍsec）ごとに流れる。過電流が検出された後、過電流検出レベル以下の電流に戻るまでは、上記の電流波形での間欠動作による発振を繰り返す。なお、過電流検出レベル（過電流閾値）Ｉthは例えば８Ａとし、間欠動作時に流れる電流Ｉｓは例えば約５〜８Ａ程度とする。
【００３５】
また、電力供給開始から１００ｍsec経過後、それ以降の定常時の長周期期間Ｔ２では、図５に示すように、抵抗Ｒ９＋Ｒ１０とコンデンサＣ１の時定数による長周期の過電流動作間欠周期ｔ２を１００ｍsecとし、１００ｍsecごとにスイッチ素子Ｑ１、Ｑ２のオンオフを繰り返す。この長周期の過電流動作間欠周期ｔ２（＝１００ｍsec）は、抵抗Ｒ９＋Ｒ１０による放電時間に相当する。このとき、スイッチ素子Ｑ１、Ｑ２には三角状の電流波形が過電流動作間欠周期ｔ２（１００ｍsec）ごとに流れる。過電流が検出された後、過電流検出レベル以下の電流に戻るまでは、上記の電流波形での間欠動作による発振を繰り返す。
【００３６】
負荷２として白熱灯を接続した場合は、コールドスタート時は負荷の抵抗値は比較的小さくなっており、電源投入時に流れる電流値は過大なものとなる。このとき、上記の過電流保護動作による間欠動作を繰り返しながら、間欠的に流れる電流により白熱灯のフィラメントが熱せられ、やがて過電流閾値以下になると、過電流保護の間欠動作が停止され、定常の点灯状態へ移行する。
【００３７】
負荷２として蛍光灯を接続した場合は、インバータ負荷では内部の整流平滑用あるいは力率改善昇圧チョッパ用の電解コンデンサに対して電源投入時に大きな突入電流が流れる。この場合、上記の過電流保護動作による間欠動作を繰り返しながら、間欠的に流れる電流により電解コンデンサが充電され、やがて過電流閾値以下になると、過電流保護の間欠動作が停止され、定常の点灯状態へ移行する。
【００３８】
上記のように、電源投入時から所定の期間Ｔ１の過電流動作間欠周期ｔ１を短く、それ以降の期間Ｔ２の過電流動作間欠周期ｔ２を長くしているのは、蛍光灯などのインバータ回路を持つ負荷を接続した場合を考慮するためである。電源投入時はインバータ回路が立ち上がることができるように間欠動作の周期を短くし、インバータ回路内部の電解コンデンサを充電する必要がある。一方、定常時の過電流に対しては、間欠動作の周期を長くしてインバータ回路へ電力が供給されないようにする。
【００３９】
インバータ回路内の部品が何らかの故障状態となった場合、本来はインバータ回路側に配置された電流ヒューズが断線するのが、インバータ回路側からみた期待動作である。しかし、本実施形態では、過電流保護動作によって流れる電流が抑制されるので、インバータ回路側の電流ヒューズは断線に至らず、その結果、期待外の動作となる場合がある。このため、インバータ回路への電力供給は抑制されているものの、インバータ回路側の部品が発煙、発火等の不安全な状態となるおそれがある。このようなことを回避するために、電源投入時から所定の期間以降については、負荷のインバータ回路へほとんど電力が供給されないように過電流動作間欠周期を長くすることで、十分な安全性を確保している。
【００４０】
また、負荷が白熱灯負荷、蛍光灯負荷に関わらず、負荷短絡などの何らかの要因により過電流が発生し、定常動作状態から過電流保護動作へ移行した場合においては、電源投入後所定時間以降の期間ｔ２と同様に、過電流動作間欠周期を長く設定しておくことで、スイッチ素子Ｑ１、Ｑ２への電流を抑制する。これにより、スイッチ素子Ｑ１、Ｑ２の発熱を抑制することができ、装置の小型化を図ることが可能である。
【００４１】
また、前述したように、始動時に過電流が検出されて過電流保護動作となった場合に、スイッチ素子Ｑ１、Ｑ２をオフしてから次にオンするまでの時間は、過電流閾値である基準電圧まで充電されたコンデンサＣ１の電位が、抵抗Ｒ９の放電によって再度過電流閾値電圧に降下するまでの時間である。このとき、本実施形態では、比較器ＣＰ２を用いて比較結果出力を抵抗Ｒ６を介してフィードバックすることにより、過電流閾値電圧にヒステリシスを形成している。このヒステリシスの設定は、比較器ＣＰ１及びＣＰ２の閾値電圧を設定している抵抗Ｒ８と比較器ＣＰ２の入出力間に接続した抵抗Ｒ６とが等価的に並列接続されることにより決定される。
【００４２】
このとき、コンデンサＣ１の電位は、始動時には抵抗Ｒ９により放電されるが、所定の時間経過後は、マイコン６からの制御信号により、スイッチ素子Ｑ３がオフとなって抵抗Ｒ９＋Ｒ１０による放電となる。このスイッチ素子Ｑ３のオンオフ動作により、過電流動作間欠周期の切替が行われる。
【００４３】
上述したように、本実施形態では、過電流を検出した場合に、始動時の電源供給開始から所定時間までは短い周期（１ｍsec）でスイッチ素子Ｑ１、Ｑ２をオンオフする間欠動作を行い、所定時間経過した以降は長い周期（１００ｍsec）でスイッチ素子Ｑ１、Ｑ２をオンオフする間欠動作を行うことによって、過電流に対して負荷２やスイッチ素子Ｑ１、Ｑ２を保護している。これにより、負荷の短絡時や異常時の過電流だけでなく、負荷接続時や始動時の突入電流や過大電流などの過電流に対しても、スイッチ素子や負荷を保護することが可能であるとともに、正常な場合は、白熱灯と蛍光灯など負荷の種別に関わらず点灯させることが可能であり、異なる複数種の負荷に適用することができる。
【００４４】
（第２の実施形態）
図６は本発明の第２の実施形態に係る電力制御装置の構成を示す回路図である。第２の実施形態は、第１の実施形態の変形例であり、比較器ＣＰ１、ＣＰ２の入出力部分の構成を変更したものである。ここでは、第１の実施形態と異なる部分のみ説明し、同様の構成要素については同一の符号を付して説明を省略する。
【００４５】
第２の実施形態の電力制御装置は、第１の実施形態の構成からスイッチ素子Ｑ３及び抵抗Ｒ１０が省かれ、比較器ＣＰ２の出力端がマイコン６にも接続される構成となっている。マイコン６は、比較器ＣＰ２の比較結果出力によっても、駆動部５を制御してスイッチ素子Ｑ１、Ｑ２をオフできるようになっている。
【００４６】
第２の実施形態では、過電流が検出された場合、負荷２への電力供給開始から所定の時間までは、第１の実施形態と同様、過電流が流れている間は抵抗Ｒ９とコンデンサＣ１の時定数による周期（第１の過電流動作間欠周期ｔ１）で間欠動作を繰り返す。このとき、マイコン６は比較器ＣＰ２の比較結果出力を受けて過電流発生を判定する。そして、所定の時間経過後は、マイコン６からの制御信号により、過電流が検出されている間はスイッチ素子Ｑ１、Ｑ２のオフを持続する。この場合、過電流保護動作は、図示しない電源スイッチのオフ操作による電源断、またはリモコン送信器９からのリモコン制御信号による消灯指示によって解除されてリセットされる。
【００４７】
このように、第２の実施形態では、過電流を検出した場合に、始動時の電源供給開始から所定時間までは短い周期（１ｍsec）でスイッチ素子Ｑ１、Ｑ２をオンオフする間欠動作を行い、所定時間経過した以降はスイッチ素子Ｑ１、Ｑ２のオフを持続することによって、過電流に対して負荷２やスイッチ素子Ｑ１、Ｑ２を保護している。これにより、第１の実施形態と同様、負荷の短絡時や異常時の過電流だけでなく、負荷接続時や始動時の突入電流や過大電流などの過電流に対しても、スイッチ素子や負荷を保護することが可能であるとともに、正常な場合は、白熱灯と蛍光灯など負荷の種別に関わらず点灯させることが可能であり、異なる複数種の負荷に適用することができる。
【００４８】
以上のように、本実施形態によれば、白熱灯や蛍光灯などいずれの負荷が接続された場合にも、負荷の異常時の過電流とともに、負荷接続時や始動時の突入電流などの過電流に対しても、スイッチ素子や負荷を保護することができ、発熱等の不安全状態を防ぐことができる。また、正常動作時には、蛍光灯などのインバータ回路を含む負荷を接続した場合であっても、確実に点灯させて作動させることができる。
【００４９】
また、始動時において、短い過電流動作間欠周期ｔ１である１ｍsecごとにスイッチ素子Ｑ１、Ｑ２をオンオフすることで、蛍光灯を負荷として接続した場合は、過電流を保護しつつ、約１ｋＨｚで急速に電力をインバータ回路に供給し、負荷を起動（点灯）させる際の立ち上がりを早くすることができる。
【００５０】
また、始動時の電力供給開始から所定の時間（１００ｍsec）経過以後に、過電流を検出した場合、長い過電流動作間欠周期である１００ｍsecごとにスイッチ素子Ｑ１、Ｑ２をオンオフするか、スイッチ素子Ｑ１、Ｑ２のオフを持続することにより、スイッチ素子Ｑ１、Ｑ２を少なくとも１００ｍsec停止できるため、負荷及びスイッチ素子等の回路にストレスを与えることを防止し、装置の異常を回避できる。
【００５１】
また、互いに逆向きに接続しているスイッチ素子Ｑ１、Ｑ２の両端のドレイン間に、コンデンサＣ１を接続することにより、スイッチ素子オフ時のｄＶ／ｄｔを軽減でき、ストレスを回避できる。また、本実施形態では、抵抗Ｒ１、Ｒ２によって過電流を検出する構成のため、スイッチ素子Ｑ１、Ｑ２の動作に関係なく過電流を検出できる。なお、スイッチ素子Ｑ１、Ｑ２と交流電源１が接続される電源接続部ＣＮ１との間にインダクタを設けるようにすれば、スイッチ素子のドレイン電流波形においてより傾きを形成し、電流導通時間を長くすることができるので、回路動作の遅れ時間を吸収して過電流を確実に検出することが可能となる。
【００５２】
また、例えば前述した従来例において、負荷が短絡された場合、過電流保護機能が無い電力制御装置では、装置外部のブレーカー断として不安全状態を回避することが想定され、装置自体の破損も考えられる。これに対し、本実施形態では、負荷が短絡された場合でも、過電流保護機能によって装置に流れる電流を抑制できるので、ブレーカー断としなくても不安全状態を回避でき、装置の破損も防止できる。このことは、本実施形態の電力制御装置を組み込んだ機器を使用する場合、ブレーカーを機器に備える必要も無く、機器の破損も防止できるので、使用者にとっては大変使い勝手の良い装置を実現できる。
【００５３】
また、本実施形態の電力制御装置は、例えば同じ配線ダクトに照明装置が複数個接続された場合などに、電力制御装置を複数接続してシステムとして使用することも可能である。なお、電力制御装置に複数の負荷を接続してまとめて供給電力を制御することも可能である。
【００５４】
図７は電力制御装置を複数接続した電力供給システムの構成例を示す図である。この電力供給システムでは、複数の電力制御装置５１ａ、５１ｂ、５１ｃが同じ電力線配線５５に接続され、交流電源１に接続されている。電力線配線５５には、電源をオンオフする壁スイッチ等のスイッチ５６、過電流保護用のブレーカー５７が設けられている。電力制御装置５１ａ、５１ｂ、５１ｃには、それぞれ白熱灯や蛍光灯などによる照明装置等の負荷５２ａ、５２ｂ、５２ｃが接続されて照明システムを構成しており、これらの負荷５２ａ、５２ｂ、５２ｃへの供給電力を制御できるような構成となっている。
【００５５】
この電力供給システムの構成例のように、電力制御装置を複数接続した場合、これらの電力制御装置の負荷に対して一括して電源を投入した場合の突入電流を低減することができるため、ブレーカーやスイッチの電源容量を小さくできる可能性があり、装置や設備の小型化や低コスト化を図れる。
【００５６】
さらに、電力制御装置を複数接続した場合、万一寿命などによってそのうちの一つが故障した場合、例えば負荷短絡や装置故障などにより過電流が流れるような場合においても、他の電力制御装置の過電流保護機能によって流れる電流を低減できる。このため、ブレーカー断により、接続された照明装置全てが消灯してしまうなど、全ての負荷が不動になってしまう状態を回避することができる。また、電源オンオフのためのスイッチとして壁スイッチを使用している場合、そのスイッチの溶着等の不具合が生じるおそれを低減することも可能である。
【００５７】
なお、本発明は上記の実施形態において示されたものに限定されるものではなく、明細書の記載、並びに周知の技術に基づいて、当業者が変更、応用することも本発明の予定するところであり、保護を求める範囲に含まれる。
【００５８】
上述した実施形態では、電力制御装置を交流負荷として白熱灯や蛍光灯などの照明機器を負荷として用いる照明装置に適用した例を示したが、これのみに限るものではなく、負荷がヒータの場合など、交流負荷への供給電力をスイッチ素子でスイッチングして電力制御を行う構成であって適合するものであれば、他の種々の装置に適用可能である。
【産業上の利用可能性】
【００５９】
本発明は、負荷の短絡時や異常時だけでなく、負荷接続時や始動時の突入電流や過大電流などの過電流に対してもスイッチ素子や負荷を保護することができるとともに、例えば白熱灯と放電灯点灯装置など、異なる複数種の負荷に対しても適用することが可能となる効果を有し、照明負荷等の交流負荷の電力制御を行うための調光装置や点灯装置等に適用可能な電力制御装置等として有用である。
【図面の簡単な説明】
【００６０】
【図１】本発明の第１の実施形態に係る電力制御装置の構成を示す回路図
【図２】本実施形態において電力制御を行う際の動作波形を示す図
【図３】本実施形態の過電流保護機能に関する動作を示すタイムチャート
【図４】本実施形態の過電流保護動作における始動時の短周期の間欠動作を示す図
【図５】本実施形態の過電流保護動作における定常時の長周期の間欠動作を示す図
【図６】本発明の第２の実施形態に係る電力制御装置の構成を示す回路図
【図７】本実施形態の電力制御装置を複数接続した電力供給システムの構成例を示す図
【符号の説明】
【００６１】
１  交流電源
２  負荷
３  制御電源
４  ゼロ点検出部
５  駆動部
６  マイコン
７  制御部
８  受光部
９  リモコン送信器
１０  負荷設定スイッチ
ＣＮ１  電源接続部
ＣＮ２  負荷接続部
Ｑ１、Ｑ２、Ｑ３  スイッチ素子
ＣＰ１、ＣＰ２  比較器
Ｒ１、Ｒ２、Ｒ３、Ｒ４、Ｒ５、Ｒ６、Ｒ７、Ｒ８、Ｒ９、Ｒ１０  抵抗
Ｃ１  コンデンサ
【図１】
2008234588.tif 000003
【図２】
2008234588.tif 000004
【図３】
2008234588.tif 000005
【図４】
2008234588.tif 000006
【図５】
2008234588.tif 000007
【図６】
2008234588.tif 000008
【図７】
2008234588.tif 000009